(57)【要約】【課題】従来と比較してより信頼性の高い認証を行い、利便性の高い認証処理を行う情報通信システムを提供する。【解決手段】利用者からの情報の入力を受け付ける入力部を有する複数の通信端末同士の通信を中継する情報サーバ装置とを備えた情報通信システムであって、通信端末は、自端末の利用者の認証情報を取得し、入力された情報と、認証情報とを、情報サーバ装置に送信し、情報サーバ装置は、利用者を識別する利用者識別情報に対応付けて、認証基準情報を記憶し、送信手段から送信される認証情報と、認証基準情報とを比較して、認証成功か認証失敗かを判定し、利用者識別情報に対応付けて、情報の送信元の利用者の認証情報の認証が成功したか否かによって、情報を送信するか否かを定める条件である送受信条件情報に基づいて、送信される情報を、送信先の通信端末に中継するか否かを判定する。【選択図】図１
2009088717.tif 000002
【特許請求の範囲】
【請求項１】
利用者からの情報の入力を受け付ける入力部を有する複数の通信端末と、前記通信端末同士の通信を中継する情報サーバ装置とを備えた情報通信システムであって、
前記通信端末は、
自端末の利用者の認証情報を取得する認証情報取得手段と、
入力された情報と、前記認証情報取得手段が取得した前記認証情報とを、前記情報サーバ装置に送信する送信手段と、を備え、
前記情報サーバ装置は、
前記利用者を識別する利用者識別情報に対応付けて、前記認証情報に基づいて当該利用者を認証するための認証基準情報を記憶する利用者情報記憶手段と、
前記送信手段から送信される認証情報と、前記利用者情報記憶手段に記憶された認証基準情報とを比較して、認証成功か認証失敗かを判定する利用者認証手段と、
前記利用者識別情報に対応付けて、前記情報の送信元の利用者の認証情報の認証が成功したか否かによって、前記情報を送信するか否かを定める条件である送受信条件情報を記憶する送受信条件情報記憶手段と、
前記送受信条件情報記憶手段に記憶された送受信条件情報に基づいて、前記送信手段から送信される情報を、送信先の通信端末に中継するか否かを判定する送信判定手段と、を備える
ことを特徴とする情報通信システム。
【請求項２】
前記認証情報取得手段は、
前記入力部に情報が入力される際に、前記情報を入力する利用者の認証情報を取得する作成者認証情報取得手段と、
入力された前記情報を、前記情報サーバ装置を介して他の通信端末に送信することを示す送信指示情報が前記入力部に入力される際に、前記送信指示情報を入力する利用者の認証情報を取得する送信者認証情報取得手段と、を含む
ことを特徴とする請求項１に記載の情報通信システム。
【請求項３】
前記送受信条件情報は、前記作成者認証情報と前記送信者認証情報とのいずれもが認証成功した場合、または少なくとも前記送信者認証情報が認証成功した場合、または少なくとも前記作成者認証情報が認証成功した場合、または前記作成者認証情報と前記送信者認証情報とのいずれもが認証失敗した場合、のいずれの場合について前記情報を送信するか否かを定める情報であること
を特徴とする請求項２に記載の情報通信システム。
【請求項４】
前記情報サーバ装置の、
前記利用者情報記憶手段は、利用者識別情報に対応付けて、利用者を特定可能な文字列情報または画像情報である利用者特定情報を記憶し、
前記利用者認証手段は、認証成功した前記認証基準情報に対応する利用者特定情報を読み出して出力し、
前記情報の送信元の利用者特定情報を送信先の通信端末に送信し、一方、前記情報の送信先の利用者特定情報を送信元の通信端末に送信する利用者特定情報送信手段を備え、
前記通信端末は、
前記利用者特定情報送信手段から送信される利用者特定情報を表示する画面表示部を備える
ことを特徴とする請求項２または請求項３のいずれかに記載の情報通信システム。
【請求項５】
複数の通信端末同士の通信を中継する情報サーバ装置と通信し、利用者からの情報の入力を受け付ける入力部を有する前記通信端末であって、
前記入力部に情報が入力される際に、前記情報を入力する利用者の認証情報を取得する作成者認証情報取得手段と、
入力された前記情報を、前記情報サーバ装置を介して他の通信端末に送信することを示す送信指示情報が前記入力部に入力される際に、前記送信指示情報を入力する利用者の認証情報を取得する送信者認証情報取得手段と、
前記情報サーバ装置に前記情報を送信する際に、前記作成者認証情報取得手段と前記送信者認証情報取得手段とが取得した前記認証情報を前記情報とともに送信する送信手段と、
を備えることを特徴とする通信端末。
【請求項６】
利用者からの情報の入力を受け付ける入力部を有する複数の通信端末と通信し、前記通信端末同士の通信を中継する情報サーバ装置であって、
前記利用者を識別する利用者識別情報に対応付けて、当該利用者を認証するための認証基準情報を記憶する利用者情報記憶手段と、
前記通信端末から送信される認証情報と、前記利用者情報記憶手段に記憶された認証基準情報とを比較して、認証成功か認証失敗かを判定する利用者認証手段と、
前記利用者識別情報に対応付けて、前記情報の送信元の利用者の認証情報の認証が成功したか否かによって、前記情報を送信するか否かを定める条件である送受信条件情報を記憶する送受信条件情報記憶手段と、
前記送受信条件情報記憶手段に記憶された送受信条件情報に基づいて、前記送信手段から送信される情報を、送信先の通信端末に中継するか否かを判定する送信判定手段と、
を備えることを特徴とする情報サーバ装置。
【請求項７】
複数の通信端末同士の通信を中継する情報サーバ装置と通信し、利用者からの情報の入力を受け付ける入力部を有する前記通信端末としてのコンピュータに、
作成者認証情報取得手段が、前記入力部に情報が入力される際に、前記情報を入力する利用者の認証情報を取得するステップと、
送信者認証情報取得手段が、入力された前記情報を、前記情報サーバ装置を介して他の通信端末に送信することを示す送信指示情報が前記入力部に入力される際に、前記送信指示情報を入力する利用者の認証情報を取得するステップと、
通信端末送信手段が、前記情報サーバ装置に前記情報を送信する際に、前記作成者認証情報取得手段と前記送信者認証情報取得手段とが取得した前記認証情報を前記情報とともに送信するステップと、
を実行させる通信プログラム。
【請求項８】
利用者からの情報の入力を受け付ける入力部を有する複数の通信端末と通信し、前記利用者を識別する利用者識別情報に対応付けて、当該利用者を認証するための認証基準情報を記憶する利用者情報記憶手段と、前記利用者識別情報に対応付けて、前記情報の送信元の利用者の認証情報の認証が成功したか否かによって、前記情報を送信するか否かを定める条件である送受信条件情報を記憶する送受信条件情報記憶手段と、を備える前記通信端末同士の通信を中継する情報サーバ装置としてのコンピュータに、
利用者認証手段が、前記通信端末から送信される認証情報と、前記利用者情報記憶手段に記憶された認証基準情報とを比較して、認証成功か認証失敗かを判定するステップと、
送信判定手段が、前記送受信条件情報記憶手段に記憶された送受信条件情報に基づいて、前記送信手段から送信される情報を、送信先の通信端末に中継するか否かを判定するステップと、
を実行させる情報サービスプログラム。
【請求項９】
利用者からの情報の入力を受け付ける入力部を有する複数の通信端末と、前記利用者を識別する利用者識別情報に対応付けて、当該利用者を認証するための認証基準情報を記憶する利用者情報記憶手段と、前記利用者識別情報に対応付けて、前記情報の送信元の利用者の認証情報の認証が成功したか否かによって、前記情報を送信するか否かを定める条件である送受信条件情報を記憶する送受信条件情報記憶手段と、を備える前記通信端末同士の通信を中継する情報サーバ装置とを用いた情報通信方法であって、
前記通信端末の、
作成者認証情報取得手段が、前記入力部に情報が入力される際に、前記情報を入力する利用者の認証情報を取得するステップと、
送信者認証情報取得手段が、入力された前記情報を、前記情報サーバ装置を介して他の通信端末に送信することを示す送信指示情報が前記入力部に入力される際に、前記送信指示情報を入力する利用者の認証情報を取得するステップと、
送信手段が、前記情報サーバ装置に前記情報を送信する際に、前記作成者認証情報取得手段と前記送信者認証情報取得手段とが取得した前記認証情報を前記情報とともに送信するステップと、
前記情報サーバ装置の、
利用者認証手段が、前記通信端末から送信される認証情報と、前記利用者情報記憶手段に記憶された認証基準情報とを比較して、認証成功か認証失敗かを判定するステップと、
送信判定手段が、前記送受信条件情報記憶手段に記憶された送受信条件情報に基づいて、前記送信手段から送信される情報を、送信先の通信端末に中継するか否かを判定するステップと、
を備えることを特徴とする情報通信方法。
【発明の詳細な説明】
【技術分野】
【０００１】
本発明は、情報通信システム、通信端末、情報サーバ装置、通信プログラム、情報サービスプログラム、情報通信方法に関する。
【背景技術】
【０００２】
従来、電子メールの通信における盗聴や改ざん、なりすましなどの脅威への対策として、電子メールの利用者の認証を行うための認証方法が提案されている。例えば、特許文献１には、利用者の生体情報を予めサーバに登録しておき、電子メールの送受信時に利用者の生体認証を行ってからメールを配信する方法が提案されている。
【特許文献１】特開２００１−２１７８６３号公報
【発明の開示】
【発明が解決しようとする課題】
【０００３】
しかしながら、このような認証方法は、電子メール送信者の認証を行えるものであるが、電子メールの本文を書いた者を特定できるものではない。すなわち、認証を行うことができるのは電子メールの送信者のみであり、電子メールの作成者と送信者とが異なる場合に、受信者はそのような電子メールの作成者を知ることができない。
【０００４】
また、特許文献１に示される方法では、電子メールの受信を行うために電子メールの送信者と受信者の双方での認証成功が必要であり、いずれかが認証失敗の場合には送受信自体が行えないものである。これでは、いわゆるＤＭ（Direct Mail）を送受信する場合や、送信者と受信者とが方法や規格が異なる認証手段を用いている場合などには、電子メールの送受信自体が行えない。
【０００５】
本発明は、このような状況に鑑みてなされたもので、特に電子メールの送受信において、従来と比較してより信頼性の高い認証を行い、利便性の高い認証処理を行う情報通信システムを提供する。
【課題を解決するための手段】
【０００６】
上述の課題を解決するために、本発明は、利用者からの情報の入力を受け付ける入力部を有する複数の通信端末と、通信端末同士の通信を中継する情報サーバ装置とを備えた情報通信システムであって、通信端末は、自端末の利用者の認証情報を取得する認証情報取得手段と、入力された情報と、認証情報取得手段が取得した認証情報とを、情報サーバ装置に送信する送信手段と、を備え、情報サーバ装置は、利用者を識別する利用者識別情報に対応付けて、認証情報に基づいて利用者を認証するための認証基準情報を記憶する利用者情報記憶手段と、送信手段から送信される認証情報と、利用者情報記憶手段に記憶された認証基準情報とを比較して、認証成功か認証失敗かを判定する利用者認証手段と、利用者識別情報に対応付けて、情報の送信元の利用者の認証情報の認証が成功したか否かによって、情報を送信するか否かを定める条件である送受信条件情報を記憶する送受信条件情報記憶手段と、送受信条件情報記憶手段に記憶された送受信条件情報に基づいて、送信手段から送信される情報を、送信先の通信端末に中継するか否かを判定する送信判定手段と、を備える。
【０００７】
本発明は、上述の認証情報取得手段は、入力部に情報が入力される際に、情報を入力する利用者の認証情報を取得する作成者認証情報取得手段と、入力された情報を、情報サーバ装置を介して他の通信端末に送信することを示す送信指示情報が入力部に入力される際に、送信指示情報を入力する利用者の認証情報を取得する送信者認証情報取得手段と、を含むことを特徴とする。
【０００８】
本発明は、上述の送受信条件情報は、作成者認証情報と送信者認証情報とのいずれもが認証成功した場合、または少なくとも送信者認証情報が認証成功した場合、または少なくとも作成者認証情報が認証成功した場合、または作成者認証情報と送信者認証情報とのいずれもが認証失敗した場合、のいずれの場合について情報を送信するか否かを定める情報であることを特徴とする。
【０００９】
本発明は、上述の情報サーバ装置の、利用者情報記憶手段は、利用者識別情報に対応付けて、利用者を特定可能な文字列情報または画像情報である利用者特定情報を記憶し、利用者認証手段は、認証成功した認証基準情報に対応する利用者特定情報を読み出して出力し、情報の送信元の利用者特定情報を送信先の通信端末に送信し、一方、情報の送信先の利用者特定情報を送信元の通信端末に送信する利用者特定情報送信手段を備え、通信端末は、利用者特定情報送信手段から送信される利用者特定情報を表示する画面表示部を備えることを特徴とする。
【００１０】
本発明は、複数の通信端末同士の通信を中継する情報サーバ装置と通信し、利用者からの情報の入力を受け付ける入力部を有する通信端末であって、入力部に情報が入力される際に、情報を入力する利用者の認証情報を取得する作成者認証情報取得手段と、入力された情報を、情報サーバ装置を介して他の通信端末に送信することを示す送信指示情報が入力部に入力される際に、送信指示情報を入力する利用者の認証情報を取得する送信者認証情報取得手段と、情報サーバ装置に情報を送信する際に、作成者認証情報取得手段と送信者認証情報取得手段とが取得した認証情報を情報とともに送信する送信手段と、を備える。
【００１１】
本発明は、利用者からの情報の入力を受け付ける入力部を有する複数の通信端末と通信し、通信端末同士の通信を中継する情報サーバ装置であって、利用者を識別する利用者識別情報に対応付けて、利用者を認証するための認証基準情報を記憶する利用者情報記憶手段と、通信端末から送信される認証情報と、利用者情報記憶手段に記憶された認証基準情報とを比較して、認証成功か認証失敗かを判定する利用者認証手段と、利用者識別情報に対応付けて、情報の送信元の利用者の認証情報の認証が成功したか否かによって、情報を送信するか否かを定める条件である送受信条件情報を記憶する送受信条件情報記憶手段と、送受信条件情報記憶手段に記憶された送受信条件情報に基づいて、送信手段から送信される情報を、送信先の通信端末に中継するか否かを判定する送信判定手段と、を備える。
【００１２】
本発明は、複数の通信端末同士の通信を中継する情報サーバ装置と通信し、利用者からの情報の入力を受け付ける入力部を有する通信端末としてのコンピュータに、作成者認証情報取得手段が、入力部に情報が入力される際に、情報を入力する利用者の認証情報を取得するステップと、送信者認証情報取得手段が、入力された情報を、情報サーバ装置を介して他の通信端末に送信することを示す送信指示情報が入力部に入力される際に、送信指示情報を入力する利用者の認証情報を取得するステップと、通信端末送信手段が、情報サーバ装置に情報を送信する際に、作成者認証情報取得手段と送信者認証情報取得手段とが取得した認証情報を情報とともに送信するステップと、を実行させる通信プログラムである。
【００１３】
本発明は、利用者からの情報の入力を受け付ける入力部を有する複数の通信端末と通信し、利用者を識別する利用者識別情報に対応付けて、利用者を認証するための認証基準情報を記憶する利用者情報記憶手段と、利用者識別情報に対応付けて、情報の送信元の利用者の認証情報の認証が成功したか否かによって、情報を送信するか否かを定める条件である送受信条件情報を記憶する送受信条件情報記憶手段と、を備える通信端末同士の通信を中継する情報サーバ装置としてのコンピュータに、利用者認証手段が、通信端末から送信される認証情報と、利用者情報記憶手段に記憶された認証基準情報とを比較して、認証成功か認証失敗かを判定するステップと、送信判定手段が、送受信条件情報記憶手段に記憶された送受信条件情報に基づいて、送信手段から送信される情報を、送信先の通信端末に中継するか否かを判定するステップと、を実行させる情報サービスプログラムである。
【００１４】
本発明は、利用者からの情報の入力を受け付ける入力部を有する複数の通信端末と、利用者を識別する利用者識別情報に対応付けて、利用者を認証するための認証基準情報を記憶する利用者情報記憶手段と、利用者識別情報に対応付けて、情報の送信元の利用者の認証情報の認証が成功したか否かによって、情報を送信するか否かを定める条件である送受信条件情報を記憶する送受信条件情報記憶手段と、を備える通信端末同士の通信を中継する情報サーバ装置とを用いた情報通信方法であって、通信端末の、作成者認証情報取得手段が、入力部に情報が入力される際に、情報を入力する利用者の認証情報を取得するステップと、送信者認証情報取得手段が、入力された情報を、情報サーバ装置を介して他の通信端末に送信することを示す送信指示情報が入力部に入力される際に、送信指示情報を入力する利用者の認証情報を取得するステップと、送信手段が、情報サーバ装置に情報を送信する際に、作成者認証情報取得手段と送信者認証情報取得手段とが取得した認証情報を情報とともに送信するステップと、情報サーバ装置の、利用者認証手段が、通信端末から送信される認証情報と、利用者情報記憶手段に記憶された認証基準情報とを比較して、認証成功か認証失敗かを判定するステップと、送信判定手段が、送受信条件情報記憶手段に記憶された送受信条件情報に基づいて、送信手段から送信される情報を、送信先の通信端末に中継するか否かを判定するステップと、を備える。
【発明の効果】
【００１５】
以上説明したように、本発明によれば、認証情報取得部が、作成者と送信者との双方の認証情報を取得して、情報を送信する際には作成者と送信者との認証情報を送信するようにしたので、受信者は、受信する情報の作成者と送信者とを特定することができる。
また、本発明によれば、認証されていない作成者および送信者からの情報を送信するか否かを設定できるようにしたので、受信者は、認証されていない作成者または送信者からの情報も受信することができる。
【発明を実施するための最良の形態】
【００１６】
以下、本発明の一実施形態について、図面を参照して説明する。
＜概要＞
まず、図１を参照して、本実施形態による情報通信システムの概要を説明する。
本実施形態による情報通信システムは、電子メールを送信する端末である通信端末１００−１と、電子メールを受信する端末である通信端末１００−２との通信端末と、通信端末と接続されるネットワーク５０と、通信端末からの電子メールの送信を受け付けるＳＭＴＰサーバ装置３００と、ＳＭＴＰサーバ装置３００を介して、通信端末１００−１から送信される電子メールを記憶して蓄積するＰＯＰサーバ装置４００と、ＳＭＴＰサーバ装置３００とＰＯＰサーバ装置４００とからの認証要求に対応して認証処理を行う認証用サーバ装置２００との情報サーバを備えている。ここで、ネットワーク５０は、情報の送受信が可能な情報通信網である。ネットワーク５０は、本実施形態では、ＬＡＮ（Local Area Network）やいわゆるインターネットなどにより形成されるネットワークを想定して説明する。
【００１７】
通信端末１００−１を利用して電子メールの文面を入力して作成する作成者１０と、同じく通信端末１００−１を利用して電子メールの送信指示情報を入力する送信者２０と、通信端末１００−２を利用して電子メールを受信する受信者３０との各利用者は、通信端末１００−１または通信端末１００−２を用いて、予め認証用サーバ装置２００に利用者情報を送信しておく（ステップＳ１００、ステップＳ１１０）。認証用サーバ装置２００は、送信された利用者情報を記憶する。
【００１８】
そして、作成者１０が、通信端末１００−１を利用して電子メール文面の入力をすると、通信端末１００−１が備える認証情報取得部１４０−１が、作成者１０の認証情報である生体情報を取得する。認証情報取得部１４０−１は、例えばＷＥＢカメラなどであり、生体情報としての顔写真を撮像する。そして、作成者１０が電子メール文面を入力した後、別の利用者である送信者２０によって送信ボタンが押下され、電子メールの送信指示情報が通信端末１００−１に入力されると、認証情報取得部１４０−１が、送信者２０の認証情報である生体情報を取得する。
【００１９】
送信者２０によって入力された送信指示情報に従って、通信端末１００−１が、作成者１０に入力された電子メール情報とともに、作成者１０の認証情報と、送信者２０の認証情報とをＳＭＴＰサーバ装置３００に送信する（ステップＳ２００）。そして、認証用サーバ装置２００は、ＳＭＴＰサーバ装置３００が受信した作成者１０と送信者２０とのそれぞれの認証情報の認証処理を行う（ステップＳ３００）。ここで、認証用サーバ装置２００は、認証処理に成功した場合は、ステップＳ１００とステップＳ１１０とで認証用サーバ装置２００に記憶された、各利用者の画像情報などである利用者特定情報を含む認証成功情報を、ＳＭＴＰサーバ装置３００に送信する。
【００２０】
ＳＭＴＰサーバ装置３００は、電子メール情報と、認証成功情報がある場合は認証成功情報とをＰＯＰサーバ装置４００に送信する（ステップＳ４００）。ＰＯＰサーバ装置４００は、通信端末１００−２から、認証情報取得部１４０−２によって取得された受信者３０の生体情報とともに電子メールの受信要求を受け付ける。認証用サーバ装置２００が受信者３０の認証処理を行うと、ＰＯＰサーバ装置４００は、予め定められた受信者３０の受信条件情報に従って、電子メール情報と認証成功情報とを通信端末１００−２に送信し、通信端末１００−２が受信する（ステップＳ６００）。
【００２１】
このように、電子メールの送信時には電子メール文面を入力した作成者１０とその電子メールの送信指示情報を入力した送信者２０との双方の認証処理を行うようにしたので、受信者３０は、その認証処理結果を受信することで、電子メールの作成者と送信者とを特定することができる。また、ＰＯＰサーバ装置４００は、受信者３０に対応して予め記憶された受信条件情報によって電子メールを送信するか否かを判定して電子メールを送信するので、受信者３０は、認証されていない電子メールを受信するか否かの可否や、通信端末１００−２とは異なる認証方式の通信端末から送信された電子メールを受信するか否かの可否を設定によって変更でき、自身に最適な電子メール受信環境を作成することができる。なお、作成者１０と送信者２０は同一人物であってもよい。
【００２２】
＜構成例＞
次に、本発明の一実施形態による情報通信システムについて詳細に説明する。図２は、本実施形態による通信端末１００−１の構成を示すブロック図である。通信端末１００−１は、作成者１０および送信者２０によって利用される情報機器であり、例えば、ＰＣ（Personal Computer）や、携帯電話、ＰＤＡ（Personal Digital Assistant）である。通信端末１００−１は、画面表示部１１０−１と、入力部１２０−１と、通信部１３０−１と、認証情報取得部１４０−１と、メールソフト１６０−１とを備えている。
【００２３】
画面表示部１１０−１は、例えば、液晶によるディスプレイである。入力部１２０−１は、利用者から入力される情報の入力を受け付ける。入力部１２０−１は、例えば、キーボードやマウス、ボタンなどの入力デバイスである。
通信部１３０−１は、認証用サーバ装置２００と、ＳＭＴＰサーバ装置３００と、ＰＯＰサーバ装置４００との通信を行う。
【００２４】
メールソフト１６０−１は、件名、送信先アドレス、本文などの情報を含む電子メールの作成、送信などを行うためのアプリケーションソフトウェアである。メールソフト１６０−１は、メール本文入力部１６１−１と、メール送信部１６２−１とを備えている。メール本文入力部１６１−１は、利用者から入力部１２０−１に入力される情報に従って、電子メールの本文を作成する。
【００２５】
例えば、メールソフト１６０−１によって画面表示部１１０−１に表示される「メール作成」ボタンが押下されると、画面表示部１１０−１にメール作成ウィンドウが表示され、メール本文入力部１６１−１によって電子メールの本文の作成が行われる。メール送信部１６２−１は、利用者から入力部１２０−１に入力される情報に従って、電子メールの本文を含む電子メール情報をＳＭＴＰサーバ装置３００に送信する。例えば、メールソフト１６０−１によって画面表示部１１０−１に表示される「メール送信」ボタンが押下されると、入力された電子メール情報が送信される。
【００２６】
認証情報取得部１４０−１は、通信端末１００−１を利用する利用者の生体情報を、認証情報として取得する。認証情報取得部１４０−１は、例えば、声紋認証機器（マイク）や、指紋認証機器や、顔を撮像するためにＰＣの近傍に設置されるＷＥＢカメラなどである。また、認証情報取得部１４０−１は、パスワードが入力されるキーボードなどでも良い。本実施形態においては、認証情報取得部１４０−１は、ＷＥＢカメラであるとして説明する。
【００２７】
作成者認証情報取得部１４１−１は、メールソフト１６０−１のメール本文入力部１６１−１によって、電子メールの本文が作成されている間、一定間隔ごとに利用者の認証情報を取得する。ここで、電子メールの本文が作成されている間とは、例えば、メールソフト１６０−１によって画面に表示される「メール作成」ボタンが押下されてから、メール作成ウィンドウが表示され、メールソフト１６０−１によって画面表示部１１０−１に表示される「メール送信」ボタンの押下を検出しない間である。なお、作成者認証情報取得部１４１−１は、一定間隔ごとに認証情報を取得するのが望ましいが、例えば、認証情報取得部１４０−１が声紋認証機器や指紋認証機器のように利用者の操作が必要な機器の場合には、「メール作成」ボタンが押下される際に取得することとしても良い。
【００２８】
送信者認証情報取得部１４２−１は、メール送信部１６２−１によって、電子メールの送信が行われる際に、利用者の認証情報を取得する。ここで、電子メールの送信が行われる際とは、例えば、メールソフト１６０−１によって画面表示部１１０−１に表示される「メール送信」ボタンの押下を検出した時である。
【００２９】
図３は、本実施形態による通信端末１００−２の構成を示すブロック図である。通信端末１００−２は、画面表示部１１０−２と、入力部１２０−２と、通信部１３０−２と、認証情報取得部１４０−２と、メールソフト１６０−２とを備えている。通信端末１００−１と同様の構成については、説明を省略する。
【００３０】
メールソフト１６０−２は、少なくともメール受信部１６３−２を備えている。メール受信部１６３−２は、利用者から入力部１２０−２に入力される情報に従って、ＰＯＰサーバ装置４００から電子メール情報を受信する。例えば、メールソフト１６０−２によって画面表示部１１０−２に表示される「メール受信」ボタンが押下されると、電子メール受信処理が開始される。
【００３１】
認証情報取得部１４０−２は、少なくとも受信者認証情報取得部１４３−２を備えている。認証情報取得部１４０−２は、電子メール受信要求情報が通信端末１００−２に入力される際に、通信端末１００−２の利用者の認証情報を取得する。ここで、電子メールの受信が行われる際とは、例えば、メールソフト１６０−２によって画面表示部１１０−２に表示される「メール受信」ボタンが押下される際である。
本実施形態の説明においては、通信端末として通信端末１００−１と通信端末１００−２とを例とするが、このような通信端末は、それぞれ複数台でも良い。
【００３２】
認証用サーバ装置２００は、ＳＭＴＰサーバ装置３００とＰＯＰサーバ装置４００とからの認証要求に対応して認証処理を行う。認証用サーバ装置２００は、認証処理部２１０と、認証情報記憶部２２０と、送信判定部２３０と、受信判定手段２４０と、送信条件情報更新部２５０と、受信条件情報更新部２６０とを備えている。認証処理部２１０は、通信端末１００−１または通信端末１００−２のいずれかから受信する認証情報と、予め認証処理情報記憶部２２０に記憶された利用者情報に含まれる認証テンプレートとを比較して、認証情報が、予め定められた利用者に対応するものであるか否かを判定する認証処理を行う。
【００３３】
認証処理情報記憶部２２０は、認証処理を行うために必要な情報を記憶する。図５は、認証処理情報記憶部２２０が記憶する情報のテーブル構成図である。認証処理情報記憶部２２０は、ユーザ（利用者）情報テーブルと、送信条件情報テーブルと、受信可能アドレステーブルと、受信条件情報テーブルとを備えている。
【００３４】
ユーザ情報テーブルは、ユーザＩＤ、メールアドレス、ニックネーム、認証テンプレート、利用者特定情報、未認証メール動作との項目を有している。ユーザＩＤは、認証用サーバ装置２００へアクセスするためのユーザアカウントであり、ユーザＩＤによって利用者は一意に識別される。メールアドレスは、ユーザＩＤに対応するメールアドレスである。ニックネームは、ユーザＩＤに対応する利用者を識別するユーザ識別名である。ここで、メールアドレスとニックネームの関係は一対多であり、ひとつのメールアドレスに複数のニックネームを付加することが可能である。
【００３５】
また、ユーザＩＤは、メールアドレスとニックネームとの組み合わせに対して一意に定められる。このようにして、例えば、家族内で同一のメールアドレスを利用しつつ、家族の構成員のそれぞれが異なるユーザＩＤとニックネームをもつことが可能である。本実施形態においては、作成者１０と送信者２０とは、同一のメールアドレスに対応付けられた、異なるニックネームをもち、異なるユーザＩＤが対応付けられた利用者である。受信者３０は、作成者１０と送信者２０とは、メールアドレスもニックネームも異なるユーザＩＤが対応付けられた利用者である。
【００３６】
認証テンプレートは、予め取得された認証情報である。認証テンプレートは、例えば、顔などの画像、指紋、声紋などの生体情報である。本実施形態では、認証情報は顔の画像情報であり、認証処理部２１０によって、通信端末１００−１または通信端末１００−２のいずれかから送信される認証情報としての顔画像と比較され、同一人物であるか否かが判定される。認証テンプレートは、パスワードなどでも良い。利用者特定情報は、利用者を識別するための情報であり、例えば、本人の写真などの画像情報である。利用者特定情報は、利用者を識別可能なアイコン（アバター）としての機能をもつ情報であれば、本人の画像でなくとも良く、例えば風景写真やペットの写真などでも良い。また、上述のニックネームを利用者特定情報としても良い。
【００３７】
送信条件情報テーブルは、メールアドレスに対応付けて、通信端末１００−１から送信される電子メールを送信する際の認証条件情報を記憶する。送信条件情報テーブルは、メールアドレスと、送信認証条件と、作成者複数人評価基準とを記憶する。送信認証条件に記憶される設定値は、「０」、「１」、「２」、「３」のいずれかであり、図６に、それぞれが示す認証状態を説明する表を示す。送信認証条件の設定値「０」は、作成者が認証成功（○）し、かつ送信者も認証成功（○）したときに認証成功とすることを示す。
【００３８】
ここで、送信者の認証情報は一人分であるが、複数人が入れ替わって電子メールを作成した場合には、複数人分の認証情報が認証処理対象となる。このような場合には、作成者複数人評価基準の項目を参照する。作成者複数人評価基準に記憶された情報が、「０」であれば、複数の作成者の全ての認証が成功した場合に、認証成功とすることを示す。一方、作成者複数人評価基準に記憶された情報が、「１」であれば、複数の作成者のうち少なくとも一人分の認証情報が認証成功した場合に、認証成功とすることを示す。
【００３９】
送信認証条件の設定値「１」は、作成者が認証失敗（×）しても、少なくとも送信者が認証成功（○）すれば認証成功とすることを示す。送信認証条件の設定値「２」は、少なくとも作成者が認証成功（○）すれば、送信者は認証失敗（×）しても認証成功とすることを示す。このとき、作成者複数人評価基準の設定値「０」または「１」は、上述の作成者複数人評価基準と同様に参照される。送信認証条件の設定値「３」は、作成者が認証失敗（×）し、送信者も認証失敗（×）した場合には、認証失敗として認証成功情報のないメールを送信することを示す。
【００４０】
図５に戻り、受信可能アドレス情報テーブルには、ユーザＩＤに対応付けて、そのユーザＩＤが示す利用者に送信される電子メールの送信元のアドレスである受信可能アドレスと、電子メールの送信元のユーザ識別名である受信可能ニックネームとが記憶される。受信可能アドレス情報テーブルに記憶される設定値によって、利用者は、自分宛の電子メールを、メールアドレスだけでなく、生体認証情報に基づいた利用者単位のフィルタリングを行うことができる。受信可能アドレス情報テーブルは、通信端末１００−２がＰＯＰサーバ装置４００から電子メールを受信する際に、ＰＯＰサーバ装置４００によって参照される。
【００４１】
図４に戻り、送信判定部２３０は、認証処理情報記憶部２２０に記憶された送信条件情報に基づいて、通信端末１００−１から受信する電子メールを通信端末１００−２に送信するか否かを判定する。受信判定部２４０は、認証処理情報記憶部２２０に記憶された受信条件情報に基づいて、通信端末１００−１から受信する電子メールを通信端末１００−２に送信するか否かを判定する。
【００４２】
送信条件情報更新部２５０は、ネットワーク５０を介して、通信端末１００−１からの送信条件情報の入力を受付け、認証処理情報記憶部２２０に記憶された送信条件情報を更新して記憶させる。受信条件情報更新部２６０は、ネットワーク５０を介して、通信端末１００−２からの受信条件情報の入力を受付け、認証処理情報記憶部２２０に記憶された受信条件情報を更新して記憶させる。送信条件情報および受信条件情報の更新は、通信端末１００−１または通信端末１００−２から、例えばＷＥＢアプリケーションを介して行う。
【００４３】
受信条件情報テーブルには、ユーザＩＤに対応付けて、受信認証条件が記憶される。受信認証条件に記憶される設定値「０」、「１」、「２」、「３」の値が示す認証状態を説明する表を図７に示す。受信認証条件の設定値が示す認証状態は、上述の送信条件情報に記憶される設定値に準ずるものであるので、説明を省略する。
【００４４】
図８は、本実施形態によるＳＭＴＰ（Simple Mail Transfer Protocol）サーバ装置３００の構成を示すブロック図である。ＳＭＴＰサーバ装置３００は、電子メールを転送するサーバプログラムを備える装置である。本実施形態においては、通信端末１００−１が送信する電子メールは、ＳＭＴＰサーバ装置３００によって相手先のＰＯＰサーバ装置４００に転送される。ＳＭＴＰサーバ装置３００は、受信部３１０と、送信部３２０と、認証要求部３３０とを備えている。
【００４５】
受信部３１０は、通信端末１００−１から送信される電子メールと作成者認証情報と送信者認証情報とを受信する。認証要求部３３０は、受信部３１０が受信した電子メールと作成者認証情報と送信者認証情報とを認証用サーバ装置２００に送信し、認証用サーバ装置２００から応答される認証結果に応じて、電子メールの送信（転送）を制御する。送信部３２０は、ＰＯＰサーバ装置４００に電子メールを転送する。
【００４６】
図９は、本実施形態によるＰＯＰ（Post Office Protocol）サーバ装置４００の構成を示すブロック図である。ＰＯＰサーバ装置４００は、通信端末１００−２からの電子メール受信要求に応じて、通信端末１００−２が有するメールアドレスを宛先とする電子メールを送信する。ＰＯＰサーバ装置４００は、受信部４１０と、送信部４２０と、認証要求部４３０と、ＰＯＰ認証部４４０と、ＰＯＰ認証情報記憶部４５０と、メールボックス４６０と、メール制御部４７０とを備えている。
【００４７】
受信部４１０は、ＳＭＴＰサーバ装置３００から転送される電子メールと、通信端末１００−２から送信される電子メール受信要求と受信者認証情報とを受信する。認証要求部４３０は、通信端末１００から受信する電子メール送信要求と受信者認証情報とを認証用サーバ装置２００に送信し、認証用サーバ装置２００から応答される認証結果に応じて、電子メールの送信（転送）を制御する。送信部４２０は、通信端末１００−２から送信される電子メール受信要求に応じて、通信端末１００−２に電子メールを送信する。
【００４８】
ＰＯＰ認証部４４０は、いわゆるＰＯＰ認証として、ユーザアカウントとパスワードとによる認証を行う。ＰＯＰ認証情報記憶部４５０は、ＰＯＰ認証を行うために、予め定められた利用者のユーザアカウントとパスワードとを記憶する。メールボックス４６０は、ＳＭＴＰサーバ装置３００から転送される電子メールを記憶する。メール制御部４７０は、メールボックス４６０に記憶された電子メール情報を制御する。
【００４９】
＜動作例＞
次に、本発明による情報通信システムが、通信端末１００−１から通信端末１００−２への電子メール送信を認証する動作例を説明する。
認証用サーバ装置２００の認証処理情報記憶部２２０に記憶される各テーブルには、本システムを利用する各利用者（作成者１０、送信者２０、受信者３０）に関する情報が予め記憶されている。
【００５０】
本実施形態においては、作成者１０と送信者２０とは、同一のメールアドレスに対応付けられた、異なるニックネームをもち、異なるユーザＩＤが対応付けられた利用者として認証処理情報記憶部２２０のユーザ情報テーブルに予め記憶される。また、受信者３０に対応するユーザ情報には、作成者１０と送信者２０とは、メールアドレスもニックネームも異なるユーザＩＤが対応付けられている。また、受信者３０のユーザＩＤに対応する受信可能アドレス情報テーブルの情報には、送信者２０と受信者３０とに対応するメールアドレスと、それぞれのニックネームが受信可能な相手先として記憶されている。
【００５１】
図１０は、通信端末１００−１から送信される電子メールが、ＰＯＰサーバ装置４００に送信されるまでの処理を示すシーケンス図である。
通信端末１００−１のメールソフト１６０−１によって画面表示部１１０−１に表示される「メール作成」ボタンが、作成者１０によって押下されると、画面表示部１１０−１にメール作成ウィンドウが表示され、電子メールの作成処理が開始される（ステップＳ１５０）。
【００５２】
ここで、作成者認証情報取得部１４１−１であるＷＥＢカメラは、この時点での利用者である作成者１０の撮像を開始する（ステップＳ１５５−１〜ステップＳ１５５−Ｎ（Ｎは任意の数））。作成者認証情報取得部１４１−１は、予め定められた時間間隔（例えば、５分）で、作成者１０の撮像を行い、撮像情報を記憶する。なお、作成者認証情報取得部１４１−１であるＷＥＢカメラは、撮像している人物（通信端末１００−１の利用者）が替わったことを認識した時にも、利用者の撮像情報を記憶することとしても良い。
【００５３】
そして、作成者１０からの入力に従って、入力部１２０−１とメール本文入力部１６１−１とによって電子メールの本文の情報が入力される。そして、メールソフト１６０−１によって画面表示部１１０−１に表示される「メール送信」ボタンが、作成者１０に替わって、送信者２０に押下されると、メール送信部１６２−１に送信指示情報が入力される（ステップＳ１６０）。この際、作成者１０または送信者２０は、電子メール情報の宛先として、受信者３０に対応するメールアドレスを入力部１２０−１に入力する。
【００５４】
また、送信者２０によって送信指示された電子メール情報は、送信元として、作成者１０と送信者２０とが共有しているメールアドレスである送信元メールアドレス情報を含んでいる。送信者２０がメール送信ボタンを押下した情報を、入力部１２０−１が受け付けると、送信者認証情報取得部１４２−１であるＷＥＢカメラは、この時点での利用者である送信者２０の撮像を行い、撮像した情報を送信者認証情報として取得する（ステップＳ１５６）。
【００５５】
そして、メール送信部１６２−１は、作成者１０によって文面が入力され、送信者２０によって送信指示情報が入力された電子メール情報と、作成者認証情報取得部１４１−１が取得した作成者認証情報と、送信者認証情報取得部１４２−１が取得した送信者認証情報とを、ＳＭＴＰサーバ装置３００に送信する（ステップＳ２００）。
【００５６】
ＳＭＴＰサーバ装置３００の受信部３１０が、通信端末１００−１から送信される電子メール情報と、作成者認証情報と、送信者認証情報とを受信すると、ＳＭＴＰサーバ装置３００の認証要求部３３０が、電子メール情報と、作成者認証情報と、送信者認証情報とを含む認証要求情報を認証用サーバ装置２００に送信する（ステップＳ３０１）。
【００５７】
認証用サーバ装置２００の認証処理部２１０は、認証要求情報を受信すると、認証要求情報に含まれる電子メール情報の送信元メールアドレスを読み出す。そして、認証処理部２１０は、読み出した送信元メールアドレスに対応するユーザ情報を、認証処理情報記憶部２２０に記憶されたユーザ情報テーブルから読み出す（ステップＳ３０２、ステップＳ３０３）。ここで、作成者１０と送信者２０のメールアドレスは同一であるので、認証処理部２１０が読み出すユーザ情報には、少なくとも作成者１０と送信者２０とに関する認証テンプレート等の情報が含まれている。
【００５８】
認証処理部２１０は、認証要求情報に含まれる作成者認証情報と、送信者認証情報と、ステップＳ３０３で読み出したユーザ情報に含まれる認証テンプレートとを比較して、生体情報認証処理を行う（ステップＳ３０４）。ここで、作成者認証情報は、作成者１０の認証情報であるから、ステップＳ３０３で読み出したユーザ情報に含まれる認証テンプレートと一致し、認証成功となる。また、送信者認証情報は、送信者２０の認証情報であるから、ステップＳ３０３で読み出したユーザ情報に含まれる認証テンプレートと一致し、認証成功となる。さらに、送信判定部２３０が、認証処理情報記憶部２２０に記憶された送信条件情報に基づいて、電子メールを送信するか否かの判定を行う。
【００５９】
そして、認証処理部２１０は、認証成功情報として、ステップＳ３０３で読み出したユーザ情報のうち、作成者１０に対応するニックネームおよび利用者特定情報である画像情報と、送信者２０に対応する利用者特定情報（ニックネームもしくは画像情報、またはその両方）を電子メール情報に付加した認証成功情報付メールを、ＳＭＴＰサーバ装置３００に送信する（ステップＳ３０５）。ＳＭＴＰサーバ装置３００は、受信する認証成功情報付メールを、ＰＯＰサーバ装置４００に送信する（ステップＳ４０１）。ＰＯＰサーバ装置４００の受信部４１０が受信する電子メールは、メールボックス４６０に記憶される。
【００６０】
なお、認証処理部２１０が行うステップＳ３０４の認証処理で、作成者認証情報または送信者認証情報と、ステップＳ３０３で読み出した認証情報としての生体情報とが一致しなかった場合には、認証失敗となる（ステップＳ３０４：失敗）。この場合、認証用サーバ装置２００は、認証成功情報を付加しない電子メールをＳＭＴＰサーバ装置３００に送信し、ＳＭＴＰサーバ装置３００は、電子メールをＰＯＰサーバ装置４００に転送する（ステップＳ４０２）。
【００６１】
なお、ステップＳ３０１において、ＳＭＴＰサーバ装置３００は、電子メール情報と、作成者認証情報と、送信者認証情報とを含む認証要求情報を認証用サーバ装置２００に送信することとしたが、作成者認証情報と、送信者認証情報とのみを認証用サーバ装置２００に送信して、ステップＳ３０５では認証成功情報のみを受信し、ＳＭＴＰサーバ装置３００が、受信した認証成功情報と電子メールとに基づいて認証情報付電子メールを生成することとしても良い。
【００６２】
図１１は、ＰＯＰサーバ装置４００に記憶された電子メール情報が、通信端末１００−２に配信されるまでの処理を示すシーケンス図である。
受信者３０によって、通信端末１００−２のメールソフト１６０−２によって画面表示部１１０−２に表示される「メール受信」ボタンが押下されると、電子メールの受信処理が開始される（ステップＳ４５０）。ここで、受信者認証情報取得部１４３−２であるＷＥＢカメラは、この時点での通信端末１００−２の利用者である受信者３０の撮像を行い、受信者認証情報を取得する（ステップＳ４５１）。
【００６３】
そして、メール受信部１６３−２は、受信者３０に対応して予め定められたメールアドレスである受信者メールアドレスと、ユーザアカウントと、パスワードと、受信者認証情報取得部１４３−２が取得した受信者認証情報とを含むメール受信要求情報を、ＰＯＰサーバ装置４００に送信する（ステップＳ４５２）。
【００６４】
ＰＯＰサーバ装置４００の受信部４１０が、通信端末１００−２から送信されるメール受信要求情報を受信すると、まず、ＰＯＰ認証部４４０は、受信者メールアドレスに対応するユーザ情報を、ＰＯＰ認証情報記憶部４５０から読み出し、メール受信要求情報に含まれるユーザアカウントとパスワードとの組み合わせがＰＯＰ認証情報記憶部４５０に予め存在すれば認証成功と、存在しなければ認証失敗とする認証処理を行う（ステップＳ５０１）。
【００６５】
ステップＳ５０１での認証処理で、認証失敗となれば、ＰＯＰサーバ装置４００は、認証失敗を通知する情報を通信端末１００−２に送信する（ステップＳ５０３）。
一方、ステップＳ５０１での認証処理が成功すれば、認証要求部４３０は、メール受信要求情報に含まれる受信者メールアドレスと、受信者認証情報とを含む認証要求情報を、認証用サーバ装置２００に送信する（ステップＳ５０２）。
【００６６】
認証用サーバ装置２００の認証処理部２１０は、認証要求情報を受信すると、認証要求情報に含まれる受信者メールアドレスを読み出す。そして、認証処理部２１０は、読み出した受信者メールアドレスに対応するユーザＩＤを含むユーザ情報を、認証処理情報記憶部２２０に記憶されたユーザ情報テーブルから読み出す（ステップＳ５０４、ステップＳ５０５）。
【００６７】
認証処理部２１０は、受信認証要求情報に含まれる受信者認証情報と、ステップＳ５０５で読み出したユーザ情報とに基づいて、生体情報認証処理を行う（ステップＳ５０６）。ここで、受信者認証情報は、受信者３０の認証情報であり、認証処理部２１０には受信者３０に対応するユーザ情報が予め記憶されているから、認証処理部２１０は、認証成功情報を生成し、ステップＳ５０８に進む（ステップＳ５０６：成功）。
【００６８】
一方、ステップＳ５０６で、生体情報認証処理が失敗すれば、認証用サーバ装置２００は、認証失敗の通知をＰＯＰサーバ装置４００に送信し、ＰＯＰサーバ装置４００の送信部４２０は、新着メール０件としての通知を通信端末１００−２に送信する（ステップＳ５０７）。
ステップＳ５０６で認証成功すると、認証処理部２１０は、ステップＳ５０５で取得したユーザＩＤに対応する受信条件情報を、認証処理情報記憶部２２０の受信条件情報テーブルから読み出す（ステップＳ５０８、ステップＳ５０９）。
【００６９】
認証用サーバ装置２００の認証処理部２１０は、読み出した受信条件情報を、ＰＯＰサーバ装置４００に送信する（ステップＳ５１０）。ＰＯＰサーバ装置４００は、受信条件情報を受信する。送信部４２０は、ユーザ情報のうち、未認証メール動作の項目に記憶された値を読み出す（ステップＳ５１１）。また、ＰＯＰサーバ装置４００のメール制御部４７０は、受信者３０のユーザＩＤに対応する電子メール情報を、メールボックス４６０から読み出す。
【００７０】
メール制御部４７０は、読み出した電子メール情報が未認証の電子メール（認証成功情報付メールでない電子メール）であり、未認証メール動作の項目が「０」であると判定すれば、未認証であることを示すアラート情報を含む電子メールを、通信端末１００−２に送信する（ステップＳ６０１）。一方、メール制御部４７０は、ステップＳ５１１で読み出した未認証メール動作の項目に記憶された値が「１」であれば、未認証メールを削除する（ステップＳ５１２）。
【００７１】
そして、メール制御部４７０は、メールボックス４６０から読み出した電子メールの送信元情報と、ユーザＩＤに対応して認証処理情報記憶部２２０から読み出した受信可能アドレス情報とを比較する（ステップＳ５１３）。本実施形態においては、受信者３０に対応する受信可能アドレス情報として、予め送信者２０に対応するメールアドレスが記憶されているので、メール制御部４７０は、通信端末１００−１から送信された電子メールを、受信条件と一致すると判定し、送信部４２０は、電子メール情報を通信端末１００−２に配信する（ステップＳ６０２）。通信端末１００−２は、電子メール情報に含まれる作成者１０と送信者２０との利用者特定情報を、画面表示部１１０−２に表示させる。一方、メール制御部４７０が、ステップＳ５１３で不一致と判定すれば、電子メールは送信されない（ステップＳ５１３：不一致）。
【００７２】
なお、本実施形態では、通信端末１００−１と通信端末１００−２とを区別して説明したが、通信端末は、図１２に示すように、通信端末１００−１と通信端末１００―２とが備える各機能を備える通信端末１００であって良い。通信端末１００の各機能部は、通信端末１００−１と通信端末１００−２とが備える同名称の各部の機能を備える。
【００７３】
なお、通信端末１００を利用する利用者は、それぞれ複数人で良く、また、本実施形態では、通信端末１００−１を利用する作成者１０と送信者２０とを例に挙げて説明したが、電子メールを作成する作成者と送信する送信者とは同一人物でも良い。また、電子メールを作成する作成者は複数人でも良い。
【００７４】
以上説明したように、本発明によれば、認証情報取得部が、作成者と送信者との双方の認証情報を取得して、情報を送信する際には作成者と送信者との認証情報を送信するようにしたので、受信者は、受信する情報の作成者と送信者とを特定することができる。
これによれば、なりすましを防ぐことができる。また、受信者はメールアドレスやテキスト情報だけでなく、生体情報によって特定される個人別に、受信する電子メールのフィルタリングを行うことができる。
【００７５】
なお、本発明における処理部の機能を実現するためのプログラムをコンピュータ読み取り可能な記録媒体に記録して、この記録媒体に記録されたプログラムをコンピュータシステムに読み込ませ、実行することにより認証処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００７７】
【図１】本発明の一実施形態による情報通信システムの概要を示す図である。
【図２】本発明の一実施形態による通信端末の構成を示すブロック図である。
【図３】本発明の一実施形態による通信端末の構成を示すブロック図である。
【図４】本発明の一実施形態による認証用サーバ装置の構成を示すブロック図である。
【図５】本発明の一実施形態により認証処理情報記憶部に記憶される情報の構成を示す図である。
【図６】本発明の一実施形態による送信認証条件の設定値を説明する図である。
【図７】本発明の一実施形態による受信認証条件の設定値を説明する図である。
【図８】本発明の一実施形態によるＳＭＴＰサーバ装置の構成を示すブロック図である。
【図９】本発明の一実施形態によるＰＯＰサーバ装置の構成を示すブロック図である。
【図１０】本発明の一実施形態による情報通信システムの動作例を示すシーケンス図である。
【図１１】本発明の一実施形態による情報通信システムの動作例を示すシーケンス図である。
【図１２】本発明の一実施形態による通信端末の構成を示すブロック図である。
【符号の説明】
【００７８】
１０  作成者
２０  送信者
３０  受信者
５０  ネットワーク
１００  通信端末
１１０  画面表示部
１２０  入力部
１３０  通信部
１４０  認証情報取得部
１４１  作成者認証情報取得部
１４２  送信者認証情報取得部
１４３  受信者認証情報取得部
１６０  メールソフト
１６１  メール本文入力部
１６２  メール送信部
１６３  メール受信部
１００−１  通信端末
１１０−１  画面表示部
１２０−１  入力部
１３０−１  通信部
１４０−１  認証情報取得部
１４１−１  作成者認証情報取得部
１４２−１  送信者認証情報取得部
１６０−１  メールソフト
１６１−１  メール本文入力部
１６２−１  メール送信部
１００−２  通信端末
１１０−２  画面表示部
１２０−２  入力部
１３０−２  通信部
１４０−２  認証情報取得部
１４３−２  受信者認証情報取得部
１６０−２  メールソフト
１６３−２  メール受信部
２００  認証用サーバ装置
２１０  認証処理部
２２０  認証処理情報記憶部
２３０  送信判定部
２４０  受信判定部
２５０  送信条件情報更新部
２６０  受信条件情報更新部
３００  ＳＭＴＰサーバ装置
３１０  受信部
３２０  送信部
３３０  認証要求部
４００  ＰＯＰサーバ装置
４１０  受信部
４２０  送信部
４３０  認証要求部
４４０  ＰＯＰ認証部
４５０  ＰＯＰ認証情報記憶部
４６０  メールボックス
４７０  メール制御部
【図１】
2009088717.tif 000003
【図２】
2009088717.tif 000004
【図３】
2009088717.tif 000005
【図４】
2009088717.tif 000006
【図５】
2009088717.tif 000007
【図６】
2009088717.tif 000008
【図７】
2009088717.tif 000009
【図８】
2009088717.tif 000010
【図９】
2009088717.tif 000011
【図１０】
2009088717.tif 000012
【図１１】
2009088717.tif 000013
【図１２】
2009088717.tif 000014